(57)【要約】【課題】扉の施錠機構において、施錠及びその解除を容易且つ確実に行うことができ、さらに、簡単な構成により取り付けが容易で、掛かるコストを抑えることのできる施錠機構を提供する。【解決手段】扉３の施錠及び解錠を行う施錠機構１０において、前記扉３に設けられた第一の筒体１１と、前記扉３が閉じられた状態で該扉３と面接触する部位に設けられ、前記扉３が閉じられた状態で前記第一の筒体１１との連通路１３を形成する第二の筒体１２と、前記連通路１３に収容され、異なる２つの磁極が形成された棒状のピン部材１４とを備え、前記ピン部材１４が前記連通路１３内で磁力を受けて作動し、扉３の施錠と解錠の切り換えがなされる。【選択図】図２
2009074241.tif 000002
【特許請求の範囲】
【請求項１】
扉の施錠及び解錠を行う施錠機構において、
前記扉に設けられた第一の筒体と、
前記扉が閉じられた状態で該扉と面接触する部位に設けられ、前記扉が閉じられた状態で前記第一の筒体との連通路を形成する第二の筒体と、
前記連通路に収容され、異なる磁極が形成された棒状のピン部材とを備え、
前記ピン部材が前記連通路内で磁力を受けて作動し、扉の施錠と解錠の切り換えがなされることを特徴とする施錠機構。
【請求項２】
前記ピン部材は、前記第二の筒体内に収容可能に設けられ、
前記扉が閉じられた状態で、磁力を受けることにより、前記第一の筒体に対し前記連通路内を進退動作し、扉の施錠と解錠の切り換えがなされることを特徴とする請求項１に記載された施錠機構。
【請求項３】
前記ピン部材に対し所定の磁極を近接可能に設けられ、前記磁極の磁力によって該ピン部材を作動させる操作手段を備えることを特徴とする請求項１または請求項２に記載された施錠機構。
【請求項４】
前記ピン部材に対し前記操作手段よりも大きい磁力を与え、該磁力によって、前記ピン部材を、前記操作手段による作動方向とは逆方向に作動させる非常手段を備えることを特徴とする請求項３に記載された施錠機構。
【請求項５】
前記ピン部材の作動または前記操作手段の操作に伴う磁極の極性の変化に基づき、施錠と解錠とを識別可能な表示の切り換えを行う表示手段を備えることを特徴とする請求項３または請求項４に記載された施錠機構。
【発明の詳細な説明】
【技術分野】
【０００１】
本発明は、引き戸、開き戸等の扉に設けられる施錠機構に関する。
【背景技術】
【０００２】
引き戸や開き戸等の扉の多くには、施錠及び解除を行うことのできる施錠機構が設けられている。
例えば特許文献１に開示された従来の施錠機構は、図１３の断面図に示すように、引き戸５０側において鉤部材５１が回動自在に設けられ、さらに、鉤部材５１を係脱させ得るロック部材５２が設けられる。
前記ロック部材５２による鉤部材５１との係合が解除されると、鉤部材５１は引き戸５０の端面から突出し、その先端が枠体５３の端部に配置された係止具５４に係止するようになされている。
【０００３】
尚、ロック部材５２の上方には、このロック部材５２を鉤部材５１に係脱させるための作動体５５が設けられ、この作動体５５の端面と枠体５３の端面とに、互いに磁気反発するマグネット５６、５７が設けられている。
【０００４】
この構成において、引き戸５０を閉めると、マグネット５６、５７が互いに磁気反発して作動体５５が奥に移動し、これによりロック部材５２が回動して鉤部材５１との係止状態が解除されるようになされている。
即ち、引き戸５０を閉めると、鉤部材５１が引き戸５０の端面から突出し、枠体５３の係止具５４に係止することによって、施錠がなされるように構成されている。
【特許文献１】特開２００３−２４７３６８号公報
【発明の開示】
【発明が解決しようとする課題】
【０００５】
特許文献１に開示されるような施錠機構にあっては、容易に施錠を行うことができるという点で便利である。
しかしながら、その構成が複雑であり、部品点数が多いため、組立に係る工程が多く、コストが嵩むという課題があった。
また、施錠機構の取り付けの際に、引き戸（扉）と枠体とに夫々、所定の空間を形成する必要があるため、扉や枠体に大きく加工を施す必要があり、作業が容易ではないという課題があった。
【０００６】
本発明は、前記したような事情の下になされたものであり、扉の施錠機構において、施錠及びその解除を容易且つ確実に行うことができ、さらに、簡単な構成により取り付けが容易で、掛かるコストを抑えることのできる施錠機構を提供することを目的とする。
【課題を解決するための手段】
【０００７】
前記課題を解決するためになされた、本発明にかかる施錠機構は、扉の施錠及び解錠を行う施錠機構において、前記扉に設けられた第一の筒体と、前記扉が閉じられた状態で該扉と面接触する部位に設けられ、前記扉が閉じられた状態で前記第一の筒体との連通路を形成する第二の筒体と、前記連通路に収容され、異なる磁極が形成された棒状のピン部材とを備え、前記ピン部材が前記連通路内で磁力を受けて作動し、扉の施錠と解錠の切り換えがなされることに特徴を有する。
尚、前記ピン部材は、前記第二の筒体内に収容可能に設けられ、前記扉が閉じられた状態で、磁力を受けることにより、前記第一の筒体に対し前記連通路内を進退動作し、扉の施錠と解錠の切り換えがなされることが好ましい。
また、前記ピン部材に対し所定の磁極を近接可能に設けられ、前記磁極の磁力によって該ピン部材を作動させる操作手段を備えることが望ましい。
【０００８】
このように構成することにより、前記操作手段により前記ピン部材に対し所定の磁極を近接させれば、ピン部材を作動させ、容易且つ確実に施錠と解錠とを行う（切り換える）ことができる。
また、第一、第二の筒体及びピン部材等の少ない部品数により構成されるため、掛かるコストや扉への加工を最小限に抑えることができ、取り付けを容易に行うことができる。
【０００９】
また、前記ピン部材に対し前記操作手段よりも大きい磁力を与え、該磁力によって、前記ピン部材を、前記操作手段による作動方向とは逆方向に作動させる非常手段を備えることが望ましい。
このように前記非常手段を備えることにより、非常時・緊急時において、部屋等の外側から強制的に解錠を行うことができる。
【００１０】
また、前記ピン部材の作動または前記操作手段の操作に伴う磁極の極性の変化に基づき、施錠と解錠とを識別可能な表示の切り換えを行う表示手段を備えることが望ましい。
このように表示手段を設けることにより、部屋等の外側から施錠と解錠の状態を識別することができる。
【発明の効果】
【００１１】
本発明によれば、扉の施錠機構において、施錠及びその解除を容易且つ確実に行うことができ、さらに、簡単な構成により取り付けが容易で、掛かるコストを抑えることのできる施錠機構を得ることができる。
【発明を実施するための最良の形態】
【００１２】
以下、本発明にかかる実施の形態につき、図に基づいて説明する。図１は、本発明に係る施錠機構を取り付け可能な扉の一つである引き戸の正面図である。
図１の引き戸１は、部屋の内側から、その全体を見た状態を示している。この引き戸１は、２枚の扉２、３からなる両引き扉であり、両扉２、３が閉じられた状態で引き戸１の中央部、即ち２枚の扉２、３が重なる部分に本発明に係る施錠機構１０が設けられる。
【００１３】
図２は、施錠機構１０の斜視図である。施錠機構１０は、扉２側に取り付けられる筒体１１（第一の筒体）と、前記扉２と面接触する扉３側に取り付けられる筒体１２（第二の筒体）とを備える。前記筒体１１は、扉３に臨む側の一端に開口部１１ａを有し、筒体１２は、扉２に臨む側の一端に開口部１２ａを有している。
【００１４】
前記筒体１１と筒体１２は、扉２、３が共に閉じられた状態で、その開口部１１ａ、１２ａが互いに正面位置に対向するように設けられている。そして、その状態で両筒体１１、１２内が相互に連通する空間、即ち連通路１３に、一本の円柱状のピン部材１４が収容され、連通路１３内を移動（進退）し得るようになされている。
【００１５】
また、ピン部材１４の長さ寸法Ｌ１は筒体１２の長さ寸法Ｌ２よりも短く形成され、ピン部材１４が筒体１２側に完全に移動した場合には、筒内１２内にピン部材１４が完全に収容されるように構成されている。
また、筒体１１の長さ寸法Ｌ３は、ピン部材１４の長さ寸法Ｌ１よりも短く形成され、ピン部材１４が筒体１１側に完全に移動した場合には、ピン部材１４の一端側が筒体１２内に所定の長さ分、残る状態（図２に示す状態）となるよう構成されている。
【００１６】
尚、ピン部材１４は、棒状の永久磁石であり、その一端がＳ極の磁石となされ、他端がＮ極の磁石となされている（図示の例では、筒体１１側がＮ極、筒体１２側がＳ極）。
また、筒体１１，１２は共に磁力の影響を受けない材質、例えばプラスチックにより形成されている。
【００１７】
また、施錠機構１０は、操作部材１５（操作手段）を備える。この操作部材１５は、筒体１２の側方に配置される（例えば横長の）ケース１６と、このケース１６内を、筒体１１、１２の軸方向に対し直交方向（図では左右）にスライド自在に設けられた角棒状のスライド部材１７とで構成される。
【００１８】
スライド部材１７は、その中央部に操作者が施錠と解除の操作を行うためのレバー部材１８を有し、このレバー部材１８の左右のいずれか一方にＮ極の磁石１９が接合され、他方にＳ極の磁石２０が接合されている。
【００１９】
尚、レバー部材１８には、操作者が摘む突起部１８ａが形成されており、この突起部１８ａは、ケース１６に形成された開口部１６ａから手前側に突出している。即ち、操作者が突起部１８ａを摘んでスライド部材１７をスライド操作できるように構成されている。
また、扉２、３に筒体１１、１２及び操作部材１５を取り付けた際、スライド部材１７を一方向にスライドすると筒体１２の端部１２ｂにＮ極の磁石１９が近接し、他方向にスライドすると、Ｓ極の磁石２０が近接するようになされている。
【００２０】
操作部材１５は、そのケース１６を例えば扉２に対し、両面テープ等で接着することにより取り付けることができる。
また、筒体１１、１２は、夫々、扉２、３の所定の孔をドリル等で形成し、そこに装着することにより取り付けることができる。
このように施錠機構１０の取り付けは、扉２、３への加工が最小限に抑えられ、少ない部品数であるため容易に行うことができる。
【００２１】
続いて、このように構成された施錠機構１０の施錠・解錠動作について図３、図４を用いて説明する。
図３は、図１のＡ−Ａ矢視断面図であり、施錠機構１０により引き戸１が施錠された状態を示す図である。
図４は、図３と同様に図１のＡ−Ａ矢視断面図であり、施錠機構１０により引き戸１が解錠された状態を示す図である。
【００２２】
先ず、引き戸１を施錠する際には、図３に示すように、引き戸１の扉２、３を完全に閉めた状態で、操作部材１５のレバー部材１８を操作し、例えばＳ極の磁石２０が筒体１２の端部１２ｂに近接するようにスライドさせる。
そのようにすることにより、同じＳ極の磁性を有するピン部材１４の一端が磁性反発し、扉３の筒体１１側に連通路１３内を移動して他端（Ｎ極側）が筒体１１の端部１１ｂに当接する。ここで、ピン部材１４の長さ寸法は、筒体１１の長さ寸法よりも長いため、筒体１２内にピン部材１４の一端側（Ｓ極側）が所定の長さ分残った状態となる。
即ち、扉３はピン部材１４により扉２と係合した状態となり、反対に、扉２はピン部材１４により扉３と係合した状態となり、引き戸１の施錠がなされる。
【００２３】
一方、引き戸１を解錠するには、施錠された状態から、操作部材１５のレバー部材１８を操作し、図４に示すように、例えばＮ極の磁石１９が筒体１２の端部１２ｂに近接するようにスライドさせる。
そのようにすることにより、異なるＳ極の磁性を有するピン部材１４の一端が吸引され、ピン部材１４全体が連通路１３内を扉２の筒体１２側に移動し、その一端（Ｓ極側）が筒体１２の端部１２ｂに当接する。ここで、ピン部材１４の長さ寸法は、筒体１２の長さ寸法よりも短いため、筒体１２内にピン部材１４が完全に収容された状態となる。
即ち、扉２，３は互いの係合が解除された状態となり、引き戸１の解錠がなされる。
このように、本発明に係る施錠機構１０によれば、ピン部材１４が連通路１３内を磁力により進退動作（作動）し、扉の施錠、解錠の切り換えがなされる。即ち、部品点数の少ない簡単な構成で、容易且つ確実に施錠と解錠を行うことができる。
【００２４】
尚、前記のように説明した構成において、施錠・解錠の操作を行う操作部材１５は一般に部屋の内側に設けられるものである。このため、緊急時・非常時には、部屋の外側から解錠する手段が求められる。
続いて、前記した構成において、施錠機構１０により施錠された引き戸１（部屋）に対し、その外側から解錠する方法について図５、図６を用いて説明する。
【００２５】
図５、図６は共に、図１のＡ−Ａ矢視断面図であり、施錠された引き戸１（部屋）に対し、その外側から解錠する方法を説明するための図である。
図５に示すように施錠状態の施錠機構１０では、ピン部材１４の一端（Ｎ極側）が、扉３に設けられた筒体１１の端部１１ｂに当接している。
【００２６】
そこで、緊急時・非常時においては、施錠された状態の施錠機構１０を引き戸１（部屋）の外側から解錠するために、筒体１１の端部１１ｂに対し、ピン部材１４の一端と同じＮ極の磁性を有する磁石２１（非常手段）を近接させる。
ここで、磁石２１によりピン部材１４のＮ極側に作用する磁性反発力Ｎ１は、スライド部材１７のＳ極磁石２０によりピン部材１４のＳ極側に作用する磁性反発力Ｎ２よりも大きいものとする。
【００２７】
即ち、磁性反発力Ｎ２よりも磁性反発力Ｎ１が大きい場合、図６に示すようにピン部材１４は筒体１２側に移動し、筒体１２内に完全に収容される。
これにより、操作部材１５で施錠の操作がなされた状態であっても、引き戸１（部屋）の外側から強制的に解錠することができる。
【００２８】
また、前記した構成においては、引き戸１が施錠された状態なのか、或いは解錠された状態なのか、部屋の外側からは判断することができない。
次に、その課題を解決するための手段について説明する。図７、図８は、施錠と解錠とを識別可能な表示の切り換えを行う表示手段を設けた例を示す図である。尚、図７、８においては、操作部材１５等の操作手段の図示を省略している。
図７（ａ）に示すように、引き戸１の外側において、扉３の表面に表示手段としての表示部２２が両面テープ等により接着され設けられる。
【００２９】
表示部２２は、扉３の面に対し、高さ寸法が薄く形成されたケース２３と、このケース２３内に設けられた振り子部材２４とで構成される。
振り子部材２４は、支点部２５と、例えばＮ極の磁性を有する磁石で形成された重り２６と、支点部２５から重り２６を吊り下げるための紐部２７とで構成される。
【００３０】
また、ケース２３には表示窓２３ａが形成されており、振り子部材２４が他の磁力（外力）を受けない状態であれば、その自重により図７（ｂ）に示すように重り２６は垂直下方に位置し、表示窓２３ａから重り２６が見えるように構成されている。
この例では、重り２６を青色に着色することにより、表示窓２３ａから重り２６の青色が見える場合、解錠された状態と判断することができる。
【００３１】
尚、解錠状態では、図７（ａ）に示すように、ピン部材１４が扉２の筒体１２に完全に収容され、ピン部材１４のＮ極側と振り子部材２４の重り２６とが離れた状態となる。
このため、ピン部材１４のＮ極側による磁力が、振り子部材２４の重り２６に作用しないようになされている。
【００３２】
一方、施錠状態では、図８（ａ）に示すように、ピン部材１４の一端（Ｎ極側）が扉３の筒体１１の端部１１ｂに当接した状態となされる。この状態で、振り子部材２４の重り２６は、Ｎ極の磁石であるため、磁性反発力が重り２６に作用する。重り２６は、振り子の作用によって図８（ｂ）に示すように支点部２５を軸に回動し、所定位置で静止する。
【００３３】
このため、表示窓２３ａからは重り２６は見えず、ケース２３内部が見えることになる。この例では、表示窓２３ａから見えるケース２３内部を赤色に着色することにより、表示窓２３ａからケース２３内の赤色が見える場合には、施錠された状態と判断することができる。
このように図７、図８に示す形態によれば、施錠と解錠により移動（進退）するピン部材１４の磁力を利用して、振り子部材２４の重り２６を動かし、施錠と解錠の状態表示を行うことができる。
【００３４】
尚、図７、図８に示した形態では、ピン部材１４の磁力を利用して状態表示を行ったが、操作部材１５のスライド部材１７（Ｎ極磁石１９、Ｓ極磁石２０）の磁力を利用することより状態表示を行ってもよい。
この場合、例えば、図９に示すように、引き戸１（部屋）の外側において、扉３の表面に表示部２８が両面テープ等により接着され設けられる。
表示部２８は、例えば扉３の面に対し厚みが薄く形成されたケース２９と、このケース２９内において操作部材１５のスライド部材１７と同方向にスライド自在に設けられたスライド部材３０とで構成される。
【００３５】
スライド部材３０は、図示するように、一端にＮ極の磁石３１を有し、他端にＳ極の磁石３２を有する。詳しくは、扉２，３を間に挟んで、スライド部材１７のＳ極磁石２０にはＮ極磁石３１が相対し、Ｎ極磁石１９にはＳ極磁石３２が相対するように配置されている。
【００３６】
このような配置構成により、スライド部材１７におけるＮ極の磁石１９はスライド部材３０におけるＳ極の磁石３２と吸引し合い、スライド部材１７におけるＳ極の磁石２０は、スライド部材３０におけるＮ極の磁石３１と吸引し合う。ここで、スライド部材１７におけるＮ極の磁石１９とＳ極の磁石２０の磁力が強力なものであれば、そのスライド動作に同期して、スライド部材３０をスライドさせることができる。
【００３７】
また、ケース２９には表示窓２９ａが形成されており、スライド部材３０のスライド動作により、Ｎ極磁石３１或いはＳ極磁石３２の表面が見えるようになされている。
即ち、例えばＮ極磁石３１を赤色に着色し、Ｓ極磁石３２を青色に着色することにより、赤色が表示窓２９ａから見えるときは施錠状態（図９（ａ））であり、青色が表示窓２９ａから見えるときは解錠状態（図９（ｂ））であると判断することができる。
【００３８】
以上のように本発明に係る実施の形態によれば、扉２、３を閉めた状態で筒体１１、１２により連通路１３を形成し、前記連通路内において、異なる２つの磁極が形成されたピン部材１４を、磁力により吸引または反発させて進退させ、施錠と解錠とが切り換えられる。
即ち、本発明に係る施錠機構１０においては、部品点数の少ない簡単な構成で、容易且つ確実に施錠と解錠を行うことができる。
【００３９】
また、操作部材１５は、例えば両面テープ等による接着により取り付けることができ、筒体１１、１２は、夫々、扉２、３の所定の孔をドリル等で形成し、そこに装着することにより取り付けることができる。
したがって、扉２、３への加工が少なく、取り付けを容易に行うことができる。
また、部品点数が少なく、取り付けが容易であることから、掛かるコストを低く抑えることができる。
【００４０】
尚、前記実施の形態においては、引き戸１は、２枚の扉３、４により構成される例を示したが、それに限定されず、引き戸１が扉３の１枚により構成される場合であっても、本発明に係る施錠機構１０を適用することができる。
その場合には、扉４に換えて壁に筒体１２及び操作部材１５を設ければよい。
【００４１】
また、前記実施の形態においては、引き戸の扉に対して施錠機構１０を取り付けた例を示したが、本発明に係る施錠機構は、引き戸だけではなく、他の方式の扉に対しても適用することができる。
例えば、図１０は開き戸に対して施錠機構１０を適用した例である。
図１０において、例えばドアノブ３３ａ等の取っ手が設けられた扉３３の端面（ヒンジ等の回動軸とは反対側）に筒体１１が設けられ、枠体３４の端面に筒体１２が設けられている。
【００４２】
尚、扉３３が枠体３４に対して閉じられた状態で、筒体１１、１２により連通路１３が形成され、連通路１３内をピン部材１４が移動（進退）し得るようになされている。
また、操作部材１５が枠体３４側に両面テープ等により接着して設けられ、図示する例ではピン部材１４のＮ極側に対してスライド部材１７のＮ極磁石１９またはＳ極磁石２０が近接可能となされている。
【００４３】
この構成によれば、操作部材１５におけるスライド部材１７のスライド操作により、ピン部材１４を吸引又は磁性反発させて連通路１３内を移動（進退）させることができ、容易且つ確実に施錠と解錠を行うことができる。
したがって、開き戸においても、引き戸の場合と同様の作用効果を得ることができる。
【００４４】
また、前記実施の形態において示した引き戸１は、閉じた状態で２つの扉２、３が重なり合う構造のものを示したが、本発明に係る施錠機構は、そのような構造の引き戸だけでなく、端面同士が密着する構造の引き戸に対しても適用することができる。
【００４５】
図１１に示すように、引き戸の扉３５、３６が閉じると、その端面３５ａ、３６ａが互いに密着する構造に対し施錠機構１０'が取り付けられる。
この場合、例えば扉３５の端面３５ａ側に筒体３７（第一の筒体）が設けられ、扉３６の端面３６ａ側に筒体３８（第二の筒体）が設けられる。
扉３５側の筒体３７には、円柱状のピン部材３９が周方向に回転自在に装着されている。このピン部材３９は、長手方向に沿って半分がＳ極の磁石により形成され、残る半分がＮ極の磁石により形成されている。
【００４６】
また、ピン部材３９の周面には溝部３９ａが形成され、筒体３７には内径方向に突起部３７ａが形成されている。即ち、ピン部材３９の溝部３９ａが前記突起部３７ａに係止し、ピン部材３９が外れない構造となされている。
また、図示するようにピン部材３９の先端部付近の周面には、所定の幅及び深さ寸法を有する溝部３９ｂが形成されている。
【００４７】
一方、筒体３８には、その内周面に２カ所の凹部３８ａ、３８ｂが形成されている。図面に向かって左を部屋側とすれば、部屋側に凹部３８ａが形成され、外側に凹部３８ｂが形成されている。
また、前記凹部３８ａには、例えばＳ極の磁石４０が収容され、凹部３８ｂには、Ｎ極の磁石４１が収容されている。これら磁石４０、４１は、扉３５、３６が開いた状態では、凹部３８ａ、３８ｂから筒体３８の径方向に突出しないように設けられている。
【００４８】
そして、扉３５、３６が開いた状態（図１１（ａ））から閉じた状態にすると、図１１（ｂ）に示すように、ピン部材３９の先端は筒体３８内に収容され、その溝部３９ｂと凹部３８ａ、３８ｂにより所定の空間４３、４４が形成されるように構成されている。
【００４９】
この構成において施錠と解錠を行う場合、扉３５側において、Ｓ極とＮ極の異なる磁石（磁極）を有する操作部材４２（操作手段）を、紙面に対して垂直方向にスライド操作する。
具体的には、施錠する場合、図１２（ａ）に示すように、扉３５側において、操作部材４２を紙面に対し垂直方向にスライドさせ、ピン部材３９に対しＳ極の磁石を徐々に近接させる。
【００５０】
これにより、ピン部材３９には、操作部材４２によるＳ極の磁力が徐々に加わり、ピン部材３９のＮ極側は吸引方向に、Ｓ極側は反発する方向に力が作用する。そして、前記ピン部材３９に作用する力は、軸周りの回転力となり、回転後は、図１２（ａ）に示すように、操作部材４２に向けてピン部材３９のＮ極側が位置する状態で静止する。
【００５１】
そして、空間４３においては、Ｓ極の磁石４０に対し、ピン部材３９のＮ極側が臨む状態であるため、Ｓ極の磁石４０はピン部材３９の（溝部３８ｂの）Ｎ極側に吸着される。
一方、空間４４においては、Ｎ極の磁石４１に対し、ピン部材３９のＳ極側が臨む状態であるため、Ｎ極の磁石４１はピン部材３９の（溝部３８ｂの）Ｓ極側に吸着される。
【００５２】
ここで、ピン部材３９の溝部３９ｂは、その深さが浅く形成されており、磁石４０、４１が溝部３９ｂ内に吸着されると、磁石４０、４１はピン部材３９の径方向（凹部３８ａ、３８ｂ側）に突出した状態となる。
したがって、その状態で扉３５、３６を開こうとしても、ピン部材３９（即ち扉３５側）は磁石４０、４１を介して筒体３８（即ち扉３６側）と係合し、施錠状態となされる。
【００５３】
また、解錠を行う場合、図１２（ｂ）に示すように、扉３５側において、操作部材４２を紙面に対し垂直方向にスライドさせ、ピン部材３９に対しＮ極の磁石を徐々に近接させる。
【００５４】
これにより、ピン部材３９には、操作部材４２によるＮ極の磁力が徐々に加わり、ピン部材３９のＮ極側は反発する方向に、Ｓ極側は吸引方向に力が作用する。そして、前記ピン部材３９に作用する力は、軸周りの回転力となり、回転後は、図１２（ｂ）に示すように、操作部材４２に向けてピン部材３９のＳ極側が位置する状態で静止する。
【００５５】
一方、空間４４においては、Ｎ極の磁石４１に対し、ピン部材３９のＮ極側が臨む状態であるため、Ｎ極の磁石４１は磁性反発力により、凹部３８ｂ内に収容された状態となる。
即ち、ピン部材３９（即ち扉３５側）と筒体３８（即ち扉３６側）との係合が解除されるため、ピン部材３９は筒体３８に対して着脱自在となり、解錠状態となされる。
【００５６】
このように、図１１、１２に示した構造においても、部品点数の少ない簡単な構成で、容易且つ確実に施錠と解錠を行うことができる。
また、操作部材４２の構成は、既に前記実施の形態で説明した操作部材１５と同様のものを用いることができ、その取り付けは、例えば両面テープ等による接着により行うことができる。また、筒体３７、３８は、夫々、扉３５、３６に所定の孔をドリル等で形成し、そこに装着することにより取り付けることができる。
したがって、施錠機構１０'の取り付けは、扉３５、３６への加工を最小限に抑えることができ、少ない部品数で容易に行うことができる。
【００５７】
尚、前記した全ての実施の形態において示したＮ極とＳ極の配置関係は、それに限定されるものではなく、全て逆の配置であっても全く同じ作用効果を得ることができる。
また、操作手段においては、Ｎ極磁石とＳ極磁石とを一方向にスライドさせることによりピン部材に近接させる構成としたが、Ｎ極磁石とＳ極磁石を有する部材をスライドでなく回転させてピン部材に近接させる構成としてもよい。
【産業上の利用可能性】
【００５８】
本発明は、引き戸や開き戸等の扉の施錠・解錠、或いは家具等に設けられた引き出しの施錠・解錠を行う施錠機構に適用することができる。
【図面の簡単な説明】
【００５９】
【図１】図１は、本発明に係る施錠機構を取り付け可能な扉の一つである引き戸の正面図である。
【図２】図２は、本発明に係る施錠機構の斜視図である。
【図３】図３は、図１のＡ−Ａ矢視断面図であり、施錠機構により引き戸が施錠された状態を示す図である。
【図４】図４は、図１のＡ−Ａ矢視断面図であり、施錠機構により引き戸が解錠された状態を示す図である。
【図５】図５は、図１のＡ−Ａ矢視断面図であり、施錠された引き戸に対し、その外側から解錠する方法を説明するための図である。
【図６】図６は、図１のＡ−Ａ矢視断面図であり、施錠された引き戸に対し、その外側から解錠する方法を説明するための図である。
【図７】図７は、施錠と解錠とを識別可能な表示の切り換えを行う表示手段を設けた例を示す図である。
【図８】図８は、施錠と解錠とを識別可能な表示の切り換えを行う表示手段を設けた例を示す図である。
【図９】図９は、施錠と解錠とを識別可能な表示の切り換えを行う他の表示手段を設けた例を示す図である。
【図１０】図１０は、開き戸に対して本発明に係る施錠機構を適用した場合を説明するための図である。
【図１１】図１１は、端面同士が密着する構造の引き戸に対し、本発明に係る施錠機構を適用した場合を説明するための図である。
【図１２】図１２は、端面同士が密着する構造の引き戸に対し、本発明に係る施錠機構を適用した場合を説明するための図である。
【図１３】図１３は、従来の施錠機構を説明するための断面図である。
【符号の説明】
【００６０】
１        引き戸
２        扉
３        扉
１０      施錠機構
１０’    施錠機構
１１      筒体（第一の筒体）
１２      筒体（第二の筒体）
１３      連通路
１４      ピン部材
１５      操作部材（操作手段）
１６      ケース
１７      スライド部材
１８      レバー部材
１９      Ｎ極磁石
２０      Ｓ極磁石
２１      磁石（非常手段）
２２      表示部（表示手段）
２３      ケース
２４      振り子部材
２５      支点部
２６      重り
２７      紐部
２８      表示部（表示手段）
２９      ケース
３０      スライド部材
３１      Ｎ極磁石
３２      Ｓ極磁石
３３      扉
３４      枠体
３５      扉
３６      扉
３７      筒体（第一の筒体）
３８      筒体（第二の筒体）
３９      ピン部材
４０      Ｓ極磁石
４１      Ｎ極磁石
４２      操作部材（操作手段）
【図１】
2009074241.tif 000003
【図２】
2009074241.tif 000004
【図３】
2009074241.tif 000005
【図４】
2009074241.tif 000006
【図５】
2009074241.tif 000007
【図６】
2009074241.tif 000008
【図７】
2009074241.tif 000009
【図８】
2009074241.tif 000010
【図９】
2009074241.tif 000011
【図１０】
2009074241.tif 000012
【図１１】
2009074241.tif 000013
【図１２】
2009074241.tif 000014
【図１３】
2009074241.tif 000015